(57)【要約】【課題】セキュリティ画像の意図しない視認を防止する。【解決手段】画像記録装置１では、第１透明インク吐出機構３２から紫外線可視性インクである第１透明インクが印刷媒体９の有色画像上に吐出されて透明なセキュリティ画像が記録され、第２透明インク吐出機構３３から第２透明インクがセキュリティ画像上に吐出され、セキュリティ画像全体を被覆する透明なカムフラージュ画像が記録される。これにより、印刷物を傾けて見た場合等であっても、第１透明インクに含まれる樹脂粒子等によるセキュリティ画像の光沢（いわゆる、テカリ）が、カムフラージュ画像の光沢により打ち消されて判別不能となる。その結果、セキュリティ画像の光沢に起因するセキュリティ画像の意図しない視認を防止することができる。【選択図】図１
2013063611.tif 000002
【特許請求の範囲】
【請求項１】
画像記録装置であって、
透明な第１画像記録材料を記録媒体に付与する第１付与機構と、
透明な第２画像記録材料を前記記録媒体に付与する第２付与機構と、
前記記録媒体を前記第１付与機構および前記第２付与機構に対して相対的に移動する移動機構と、
前記第１付与機構、前記第２付与機構および前記移動機構を制御することにより、前記第１画像記録材料にて前記記録媒体上に透明なセキュリティ画像を記録し、前記セキュリティ画像のエッジの少なくとも一部に接する、または、重なる透明なカムフラージュ画像を前記第２画像記録材料にて前記記録媒体上に記録する制御部と、
を備えることを特徴とする画像記録装置。
【請求項２】
請求項１に記載の画像記録装置であって、
有色の第３画像記録材料を前記記録媒体に付与する第３付与機構をさらに備え、
前記制御部により前記第３付与機構および前記移動機構が制御されることにより、前記記録媒体上に有色画像が記録され、
前記セキュリティ画像および前記カムフラージュ画像は、前記有色画像上に配置されることを特徴とする画像記録装置。
【請求項３】
請求項１または２に記載の画像記録装置であって、
前記セキュリティ画像の全体が、前記カムフラージュ画像により被覆されることを特徴とする画像記録装置。
【請求項４】
請求項３に記載の画像記録装置であって、
前記カムフラージュ画像がベタ画像であることを特徴とする画像記録装置。
【請求項５】
請求項３に記載の画像記録装置であって、
前記カムフラージュ画像が、ハーフトーン処理されたチント画像であることを特徴とする画像記録装置。
【請求項６】
請求項３に記載の画像記録装置であって、
前記カムフラージュ画像が、前記セキュリティ画像のエッジの全周に接することを特徴とする画像記録装置。
【請求項７】
請求項１ないし６のいずれかに記載の画像記録装置であって、
前記第１画像記録材料が、紫外線可視性材料であることを特徴とする画像記録装置。
【請求項８】
請求項７に記載の画像記録装置であって、
前記第２画像記録材料が、前記第１画像記録材料とは発色が異なる紫外線可視性材料であることを特徴とする画像記録装置。
【請求項９】
請求項１ないし８のいずれかに記載の画像記録装置であって、
前記第１画像記録材料および前記第２画像記録材料がそれぞれ透明インクであり、
前記第１付与機構および前記第２付与機構がそれぞれ、透明インクの微小液滴を前記記録媒体に向けて吐出する吐出機構であることを特徴とする画像記録装置。
【請求項１０】
画像記録方法であって、
ａ）第１画像記録材料にて記録媒体上に透明なセキュリティ画像を記録する工程と、
ｂ）前記セキュリティ画像のエッジの少なくとも一部に接する、または、重なる透明なカムフラージュ画像を第２画像記録材料にて前記記録媒体上に記録する工程と、
を備えることを特徴とする画像記録方法。
【請求項１１】
画像記録物であって、
記録媒体と、
第１画像記録材料にて前記記録媒体上に記録された透明なセキュリティ画像と、
第２画像記録材料にて、前記セキュリティ画像のエッジの少なくとも一部に接して、または、重なって前記記録媒体上に記録された透明なカムフラージュ画像と、
を備えることを特徴とする画像記録物。
【発明の詳細な説明】
【技術分野】
【０００１】
本発明は、画像を記録する技術および画像記録物に関する。
【背景技術】
【０００２】
従来より、紙等の印刷媒体上に印刷された画像の摩耗や褪色を防止するために、透明な保護層を画像上に設けることが行われている。また、近年では、印刷された画像上に透明インクを重ねて塗布することにより、印刷物の表面に光沢性をもたせることも行われている。例えば、特許文献１では、印刷媒体上に着色インクにて記録された印字層の上に、クリアインクによるオーバーコート層を形成して光沢感を制御する技術が開示されている。
【０００３】
一方、印刷物の偽造防止等、セキュリティを向上するために、印字層を重ねる技術が提案されている。例えば、特許文献２では、青色または緑色等の視覚感度が小さい色のインクにより真正の文字等を印刷した印刷部上に、赤色や黄色等の視覚感度が大きい色のインクにより他の文字等を印刷することにより、真正の文字等を通常では判読できなくする技術が開示されている。真正の文字等は、印刷物上に赤色フィルタを載置することにより、レリーフ状に浮き上がって見える。
【０００４】
また、印刷物のセキュリティ向上のために、ホログラムや暗号画像（いわゆる、透かし）を印刷物上に形成することが行われている。例えば、特許文献３では、１つの記録媒体の表面上に、市場で見て認識できるオバート領域と、特別の器具を使わないと認識できないコバート領域とを設ける技術が開示されている。当該記録媒体上では、オバート領域とコバート領域とが重ね合わされてもよい。コバート領域には、蛍光インクや燐光インクのように紫外線を照射することで発光する透明インクによりパターンが印刷される。このような紫外線可視性インクにより印刷されたパターンは、太陽光や蛍光灯の光のような可視光の照射では発光しないため、可視光下ではほとんど読み取ることができない。
【先行技術文献】
【特許文献】
【０００５】
【特許文献１】特開２００４−３１４３５０号公報
【特許文献２】特開昭６４−１３５８１号公報
【特許文献３】国際公開第２００３／０５３７０８号
【発明の概要】
【発明が解決しようとする課題】
【０００６】
ところで、特許文献２のように有色インクにて印刷された真正の文字等の上に、他の有色インクにて他の文字等を印刷した場合、印刷時に両方の有色インクが混じってしまい、フィルタを介して印刷物を見た場合であっても真正の文字等を明確に認識することができないおそれがある。
【０００７】
また、特許文献３のように、透明な紫外線可視性インクによりコバート領域のパターンを印刷した場合であっても、紫外線可視性インクに含まれる接着樹脂や乾燥防止剤等により生じるパターンの光沢感により、印刷物を傾けて見るとコバート領域のパターンが認識されてしまう（テカって見えてしまう）ことがある。
【０００８】
本発明は、上記課題に鑑みなされたものであり、光沢に起因するセキュリティ画像の意図しない視認を防止することを目的としている。
【課題を解決するための手段】
【０００９】
請求項１に記載の発明は、画像記録装置であって、透明な第１画像記録材料を記録媒体に付与する第１付与機構と、透明な第２画像記録材料を前記記録媒体に付与する第２付与機構と、前記記録媒体を前記第１付与機構および前記第２付与機構に対して相対的に移動する移動機構と、前記第１付与機構、前記第２付与機構および前記移動機構を制御することにより、前記第１画像記録材料にて前記記録媒体上に透明なセキュリティ画像を記録し、前記セキュリティ画像のエッジの少なくとも一部に接する、または、重なる透明なカムフラージュ画像を前記第２画像記録材料にて前記記録媒体上に記録する制御部とを備える。
【００１０】
請求項２に記載の発明は、請求項１に記載の画像記録装置であって、有色の第３画像記録材料を前記記録媒体に付与する第３付与機構をさらに備え、前記制御部により前記第３付与機構および前記移動機構が制御されることにより、前記記録媒体上に有色画像が記録され、前記セキュリティ画像および前記カムフラージュ画像は、前記有色画像上に配置される。
【００１１】
請求項３に記載の発明は、請求項１または２に記載の画像記録装置であって、前記セキュリティ画像の全体が、前記カムフラージュ画像により被覆される。
【００１２】
請求項４に記載の発明は、請求項３に記載の画像記録装置であって、前記カムフラージュ画像がベタ画像である。
【００１３】
請求項５に記載の発明は、請求項３に記載の画像記録装置であって、前記カムフラージュ画像が、ハーフトーン処理されたチント画像である。
【００１４】
請求項６に記載の発明は、請求項３に記載の画像記録装置であって、前記カムフラージュ画像が、前記セキュリティ画像のエッジの全周に接する。
【００１５】
請求項７に記載の発明は、請求項１ないし６のいずれかに記載の画像記録装置であって、前記第１画像記録材料が、紫外線可視性材料である。
【００１６】
請求項８に記載の発明は、請求項７に記載の画像記録装置であって、前記第２画像記録材料が、前記第１画像記録材料とは発色が異なる紫外線可視性材料である。
【００１７】
請求項９に記載の発明は、請求項１ないし８のいずれかに記載の画像記録装置であって、前記第１画像記録材料および前記第２画像記録材料がそれぞれ透明インクであり、前記第１付与機構および前記第２付与機構がそれぞれ、透明インクの微小液滴を前記記録媒体に向けて吐出する吐出機構である。
【００１８】
請求項１０に記載の発明は、画像記録方法であって、ａ）第１画像記録材料にて記録媒体上に透明なセキュリティ画像を記録する工程と、ｂ）前記セキュリティ画像のエッジの少なくとも一部に接する、または、重なる透明なカムフラージュ画像を第２画像記録材料にて前記記録媒体上に記録する工程とを備える。
【００１９】
請求項１１に記載の発明は、画像記録物であって、記録媒体と、第１画像記録材料にて前記記録媒体上に記録された透明なセキュリティ画像と、第２画像記録材料にて、前記セキュリティ画像のエッジの少なくとも一部に接して、または、重なって前記記録媒体上に記録された透明なカムフラージュ画像とを備える。
【発明の効果】
【００２０】
本発明では、セキュリティ画像の意図しない視認を防止することができる。
【図面の簡単な説明】
【００２１】
【図１】一の実施の形態に係る画像記録装置の構成を示す図である。
【図２】印刷媒体を示す図である。
【図３】有色画像を示す図である。
【図４】セキュリティ画像を示す図である。
【図５】カムフラージュ画像を示す図である。
【図６】画像記録の流れを示す図である。
【図７】閾値マトリクスおよび元画像を抽象的に示す図である。
【図８】可視光下における印刷物を示す図である。
【図９】紫外線を照射した状態における印刷物を示す図である。
【図１０】他のカムフラージュ画像を示す図である。
【図１１】他のカムフラージュ画像を示す図である。
【図１２】他のカムフラージュ画像およびセキュリティ画像を示す図である。
【図１３】他のカムフラージュ画像およびセキュリティ画像を示す図である。
【発明を実施するための形態】
【００２２】
図１は、本発明の一の実施の形態に係る画像記録装置１の構成を示す図である。画像記録装置１は、複数の記録媒体である印刷媒体９に対してインクジェット方式にて順次カラー印刷を行う枚葉式の印刷装置である。
【００２３】
図１に示すように、画像記録装置１は、複数の印刷媒体９を図１中の（＋Ｙ）方向である移動方向に移動する移動機構２、移動機構２による搬送途上の印刷媒体９に向けてインクの微小液滴を吐出する吐出部３、移動機構２に印刷媒体９を供給する供給部５１、印刷終了後の印刷媒体９を移動機構２から受け取る排出部５２、並びに、これらの機構を制御する制御部４を備える。画像記録装置１では、吐出部３から吐出されて印刷媒体９に付与されるインクが、印刷媒体９上に画像を記録する画像記録材料である。
【００２４】
移動機構２は、それぞれが１枚のシート状の印刷媒体９（本実施の形態では、印刷用紙）を吸着保持する複数のステージ２１、複数のステージ２１を案内する環状のガイド２２、および、ガイド２２内のベルトを図１中における反時計回りに移動させることにより、印刷媒体９を保持するステージ２１を吐出部３の下方（すなわち、（−Ｚ）側）において（＋Ｙ）方向に移動するベルト駆動機構（図示省略）を備える。
【００２５】
吐出部３は、それぞれが複数の吐出口からインクの微小液滴を吐出する６つの吐出機構３１ａ〜３１ｄ，３２，３３を備える。吐出機構３１ａ〜３１ｄ，３２，３３は図１中のＹ方向に配列される。吐出部３において、図１中の最も（−Ｙ）側に位置する吐出機構３１ａはＫ（ブラック）の有色インクを吐出し、吐出機構３１ａの（＋Ｙ）側の吐出機構３１ｂはＣ（シアン）の有色インクを吐出し、吐出機構３１ｂの（＋Ｙ）側の吐出機構３１ｃはＭ（マゼンタ）の有色インクを吐出し、吐出機構３１ｃの（＋Ｙ）側の吐出機構３１ｄはＹ（イエロー）の有色インクを吐出する。なお、吐出部３では、他の色の有色インクを吐出する吐出機構が設けられてもよい。
【００２６】
また、吐出機構３１ｄの（＋Ｙ）側に位置する吐出機構３２は透明インクを吐出し、吐出部３において、図１中の最も（＋Ｙ）側に位置する吐出機構３３は、吐出機構３２から吐出される透明インクとは異なる種類の透明インクを吐出する。以下の説明では、吐出機構３２から吐出される透明インクを「第１透明インク」と呼び、吐出機構３３から吐出される透明インクを「第２透明インク」と呼ぶ。また、吐出機構３２を「第１透明インク吐出機構３２」と呼び、吐出機構３３を「第２透明インク吐出機構３３」と呼ぶ。
【００２７】
本実施の形態では、第１透明インクとして、可視光下では透明であり、かつ、紫外線が照射されることにより発光して可視化する不可視インク（すなわち、紫外線可視性インク）が利用される。また、第２透明インクとして、可視光下および紫外線照射時の双方において透明な（すなわち、可視光透過性および紫外線透過性を有する）不可視インクが利用される。第１透明インクおよび第２透明インクは、実質的に透明な樹脂粒子、例えば、アクリル酸若しくはメタクリル酸またはその誘導体の重合体や共重合体であるアクリル酸系ポリマーの粒子、ゴム系ポリマーの粒子、天然高分子化合物の粒子を、接着剤や乾燥防止剤等として含む。なお、第１透明インクおよび第２透明インクは、印刷媒体９上に定着した状態で透明になるのであれば、有色の粒子等を含んでいてもよい。
【００２８】
ここで、第１透明インク、第２透明インクおよび有色インクをそれぞれ、第１画像記録材料、第２画像記録材料および第３画像記録材料とすると、第１透明インク吐出機構３２は、紫外線可視性材料である透明な第１画像記録材料を印刷媒体９に付与する第１付与機構であり、第２透明インク吐出機構３３は、透明な第２画像記録材料を印刷媒体９に付与する第２付与機構である。また、吐出機構３１ａ〜３１ｄは、有色の第３画像記録材料を印刷媒体９に付与する第３付与機構である。
【００２９】
画像記録装置１では、印刷媒体９の移動方向（Ｙ方向）に垂直なＸ方向に関して、吐出部３の吐出機構３１ａ〜３１ｄ、第１透明インク吐出機構３２および第２透明インク吐出機構３３が印刷媒体９の幅全体に亘って（すなわち、Ｘ方向の全長に亘って）設けられており、印刷媒体９の（＋Ｙ）方向への１回の相対移動により、吐出機構３１ａ〜３１ｄ、第１透明インク吐出機構３２および第２透明インク吐出機構３３が印刷媒体９上の各位置を１回だけ通過して印刷媒体９に対する印刷が完了する。すなわち、画像記録装置１では、印刷媒体９のＸ方向における往復移動を伴わない印刷（いわゆる、ワンパス印刷）が行われる。
【００３０】
画像記録装置１にはコンピュータ７が接続されており、コンピュータ７から元画像のデータおよび網点形成用の閾値マトリクス（ＳＰＭ（Screen Pattern Memory）データとも呼ばれる。）が画像記録装置１の制御部４に送られる。元画像のデータには、図２に示す印刷媒体９の（＋Ｚ）側の主面９１に設定された有色画像記録領域９２に描画される予定の多階調の有色画像のデータ、セキュリティ領域９３に描画される予定の多階調のセキュリティ画像のデータ、および、カムフラージュ領域９４に描画される予定の多階調のカムフラージュ画像のデータが含まれている。なお、図２では、有色画像記録領域９２、セキュリティ領域９３およびカムフラージュ領域９４を破線にて示す。
【００３１】
図２では、印刷媒体９の主面９１上に、各１つの有色画像記録領域９２およびカムフラージュ領域９４が設定され、２つセキュリティ領域９３が設定される。カムフラージュ領域９４は有色画像記録領域９２とおよそ一致しており、２つのセキュリティ領域９３は、有色画像記録領域９２およびカムフラージュ領域９４に含まれる。本実施の形態では、カムフラージュ領域９４は有色画像記録領域９２の全体を含む。
【００３２】
図３ないし図５はそれぞれ、有色画像９５、セキュリティ画像９６およびカムフラージュ画像９７の例を示す図である。有色画像９５は、図３に示すようなイラストであってもよく、自然画像、人物画像等であってもよい。セキュリティ画像９６は、図４に示すような企業のロゴや２次元コードであってもよく、印刷媒体９に係る警告や認証のメッセージ、紋様、暗号文字列、バーコード等であってもよい。セキュリティ画像とは、可視光下において肉眼では視認不能（または、視認困難）な透明画像であって、特殊な条件下（本実施の形態では、紫外線蛍光灯等により紫外線が照射されている状態）において視認可能となる画像であり、不可視画像ともいう。カムフラージュ画像９７は、例えば、図５に示すように、カムフラージュ領域９４の全体に設けられたベタ画像である。
【００３３】
図６は、画像記録装置１による画像記録（すなわち、印刷）の流れを示す図である。画像記録装置１では、制御部４（図１参照）において、元画像のデータおよび閾値マトリクスに基づいて、有色画像９５を表現する網点画像の信号（以下、「第１網点画像データ」という。）、セキュリティ画像９６を表現する網点画像の信号（以下、「第２網点画像データ」という。）、および、カムフラージュ画像９７を表現する網点画像の信号（以下、「第３網点画像データ」という。）が生成される（ステップＳ１１）。第１網点画像データは、元画像に含まれる有色画像９５のデータをＫ，Ｃ，Ｍ，Ｙの各色に分版し、分版された画像データを閾値マトリクスにより網点化することにより生成されたＫ，Ｃ，Ｍ，Ｙの各色の網点画像データを有する。
【００３４】
元画像の網点化に際しては（すなわち、元画像を表現する網点画像を生成する際には）、図７に示すように元画像７０を同一の大きさの多数の領域に分割して網点化の単位となる繰り返し領域７１が設定される。制御部４のＳＰＭ（Screen Pattern Memory）は、一の繰り返し領域７１に相当する記憶領域であるマトリクス空間（マトリクス領域）を有し、マトリクス空間の各アドレス（すなわち、繰り返し領域７１の各画素に対応するマトリクス空間の座標（画素））に閾値が設定されることにより閾値マトリクス７１０が生成される。
【００３５】
そして、概念的には元画像７０の各繰り返し領域７１と閾値マトリクス７１０とを重ね合わせ、繰り返し領域７１の各画素の階調レベルと閾値マトリクス７１０の対応する閾値とが比較されることにより、網点記録媒体である印刷媒体９上のその画素の位置に描画を行うか否か（すなわち、インクの液滴を吐出するか否か）が決定される。したがって、仮に元画像７０の階調レベルが一様である場合は、閾値マトリクス７１０においてその階調レベルよりも小さな閾値が設定されているアドレスの画素に描画が行われ、巨視的には一様な網点が生成されることとなる。実際には元画像７０は濃淡（すなわち、様々な階調レベルの部位）を有するため、繰り返し領域７１内において元画像７０の濃淡に応じて網点の状態が変化することとなる。
【００３６】
続いて、図１に示す印刷媒体９が供給部５１からステージ２１上に供給されて保持され、制御部４により制御される移動機構２により（＋Ｙ）方向に移動する。そして、第１網点画像データに基づいて、吐出部３の吐出機構３１ａ〜３１ｄが制御部４により制御されることにより、（＋Ｙ）方向に移動する印刷媒体９の有色画像記録領域９２（図２参照）に向けてＫ，Ｃ，Ｍ，Ｙの有色インクが吐出されて有色画像９５（図３参照）が記録される（ステップＳ１２）。また、第２網点画像データに基づいて第１透明インク吐出機構３２が制御されることにより、印刷媒体９のセキュリティ領域９３に、透明なセキュリティ画像９６（図４参照）が第１透明インクにて記録される（ステップＳ１３）。さらに、第３網点画像データに基づいて第２透明インク吐出機構３３が制御されることにより、印刷媒体９のカムフラージュ領域９４に、透明なカムフラージュ画像９７（図５参照）が第２透明インクにて記録される（ステップＳ１４）。
【００３７】
画像記録装置１では、印刷媒体９のＹ方向の各部位に対して有色画像９５の記録（ステップＳ１２）、セキュリティ画像９６の記録（ステップＳ１３）およびカムフラージュ画像９７の記録（ステップＳ１４）が順次行われることにより、印刷媒体９の全体に対する有色画像９５、セキュリティ画像９６およびカムフラージュ画像９７の記録（ステップＳ１２〜Ｓ１４）が、およそ並行して行われる。そして、主面９１上に有色画像９５が配置され、有色画像９５上にセキュリティ画像９６が配置され、セキュリティ画像９６上にカムフラージュ画像９７が配置された画像記録物である印刷物が形成され、排出部５２により回収される。当該印刷物では、セキュリティ画像９６が記録されるセキュリティ領域９３が上述のようにカムフラージュ領域９４に含まれており、セキュリティ画像９６の全体がカムフラージュ画像９７により被覆される。当然、カムフラージュ画像９７は、セキュリティ画像９６のエッジに全周に亘って重なる。画像記録装置１では、複数の印刷媒体９に対する上述の印刷（すなわち、画像の記録）が順次行われる。
【００３８】
図８は、画像記録装置１により記録媒体９に画像が記録された画像記録物である印刷物９０を示す図である。図８に示すように、印刷物９０は、可視光下では有色画像９５のみが視認可能であり、透明なセキュリティ画像９６およびカムフラージュ画像９７は視認されない。図８では、セキュリティ画像９６の各文字および二次元コードが記録されるおよその位置、および、カムフラージュ画像９７の輪郭を二点鎖線にて示す。印刷物９０では、セキュリティ画像９６の全体がカムフラージュ画像９７により被覆されるため、例えば、印刷物９０を傾けて見た場合等であっても、第１透明インクに含まれる樹脂粒子等によるセキュリティ画像９６の光沢（いわゆる、テカリ）が、カムフラージュ画像９７の光沢により打ち消されて判別不能となる。換言すれば、セキュリティ画像９６の光沢は、カムフラージュ画像９７の層により阻害されて観察者に認識されない。その結果、セキュリティ画像９６の光沢に起因するセキュリティ画像９６の意図しない視認を防止することができる。
【００３９】
一方、印刷物９０では、紫外線を照射することによりセキュリティ画像９６が発光し、図９に示すように、有色画像９５上に重なるセキュリティ画像９６を視認することができる。カムフラージュ画像９７は紫外線を透過するため、観察者は、カムフラージュ画像９７を介してセキュリティ画像９６を明確に視認することができ、印刷物９０が偽造品でないことを容易に確認することができる。
【００４０】
上述のように、印刷物９０のカムフラージュ画像９７は、カムフラージュ領域９４の全体に設けられたベタ画像である。このため、画像記録装置１において、カムフラージュ画像９７を容易に記録することができる。また、カムフラージュ領域９４は有色画像記録領域９２の全体を含むため、有色画像９５全体が、透明インクで記録されたカムフラージュ画像９７により被覆される。このように、有色画像９５がカムフラージュ画像９７によりオーバーコートされることにより、有色画像９５の耐摩耗性が向上されるとともに褪色が抑制される。
【００４１】
印刷物９０では、第２透明インクが、第１透明インクとは発色が異なる紫外線可視性インクであってもよい。この場合、印刷物９０に紫外線を照射すると、例えば、青色のカムフラージュ画像９７の中に、赤色のセキュリティ画像９６が浮かび上がるようにして見える。したがって、セキュリティ画像９６を明確に視認することができる。
【００４２】
画像記録装置１では、カムフラージュ画像９７として必ずしもベタ画像が記録される必要はない。図１０は、他のカムフラージュ画像９７ａを示す図である。カムフラージュ画像９７ａは、カムフラージュ領域９４の全体に設けられるとともにハーフトーン処理されたチント画像である。カムフラージュ画像９７ａが設けられる印刷物においても、上述の印刷物９０と同様に、セキュリティ画像９６の全体がカムフラージュ画像９７ａにより被覆されるため、セキュリティ画像９６の光沢に起因するセキュリティ画像９６の意図しない視認を防止することができる。また、カムフラージュ画像９７ａが、ハーフトーン処理されたチント画像であるため、ベタ画像であるカムフラージュ画像９７を記録する場合と比較して、第２透明インクの使用量を低減することができる。
【００４３】
なお、ドット単位で見れば、セキュリティ画像９６を構成する多数のドットには、カムフラージュ画像９７ａを記録する第２透明インクにより被覆されていないドットも含まれる可能性はあるが、セキュリティ画像９６の全体がカムフラージュ画像９７ａにより実質的に被覆されるため、上述のように、セキュリティ画像９６の意図しない視認は防止される。
【００４４】
画像記録装置１では、また、図１１に示すカムフラージュ画像９７ｂが記録されてもよい。カムフラージュ画像９７ｂは、第２透明インクが第２透明インク吐出機構３３により吐出され、カムフラージュ領域９４のうち第１透明インクが存在しない領域全体に付与されることにより記録される。換言すれば、カムフラージュ画像９７ｂは、セキュリティ画像９６（図４参照）のエッジの全周に接しており、セキュリティ画像９６を反転させた画像である。また、カムフラージュ画像９７ｂは、セキュリティ画像９６を避けてカムフラージュ領域９４の全体に記録されたベタ画像であるとも言える。
【００４５】
カムフラージュ画像９７ｂが設けられる印刷物では、セキュリティ画像９６の光沢とカムフラージュ画像９７ｂの光沢とが混じり合って判別不能となるため、セキュリティ画像９６の光沢に起因するセキュリティ画像９６の意図しない視認を防止することができる。また、カムフラージュ領域９４全体に記録されたベタ画像であるカムフラージュ画像９７と比較して、第２透明インクの使用量を低減することができる。
【００４６】
このように、セキュリティ画像９６およびカムフラージュ画像が設けられる印刷物では、カムフラージュ画像がセキュリティ画像９６のエッジに接していれば、必ずしも、カムフラージュ画像はセキュリティ画像９６およびそのエッジに重なっていなくとも、セキュリティ画像９６の光沢に起因するセキュリティ画像９６の意図しない視認を防止することができる。
【００４７】
カムフラージュ画像９７ｂが設けられる印刷物では、カムフラージュ画像９７ｂの厚さ（すなわち、第２透明インクにより形成される層の厚さ）は、セキュリティ画像９６の厚さ（すなわち、第１透明インクにより形成される層の厚さ）におよそ等しい。このため、セキュリティ画像９６とカムフラージュ画像９７とを合わせた透明画像の層の厚さがおよそ均一となり、その結果、セキュリティ画像９６の意図しない視認をより一層防止することができる。一方、セキュリティ画像９６の全体がカムフラージュ画像９７，９７ａにより被覆される印刷物では、カムフラージュ画像９７，９７ａを容易に記録することができる。
【００４８】
以上、本発明の実施の形態について説明してきたが、本発明は上記実施の形態に限定されるものではなく、様々な変更が可能である。
【００４９】
カムフラージュ画像は、上述の図５、図１０および図１１に示すものには限定されず、例えば、カムフラージュ領域９４の一方から他方に向かうに従って濃度が漸次増大するグラディエーション画像であってもよい。
【００５０】
図５および図１０のカムフラージュ画像９７，９７ａは、セキュリティ画像９６の全体を被覆しているが、図１２に示すように、矩形のカムフラージュ画像９７ｃにより、凸型のセキュリティ画像９６ａの凸部のみが被覆され、セキュリティ画像９６ａの全体形状が認識されないようにしてもよい。あるいは、図１３に示すように、凹状のカムフラージュ画像９７ｄがセキュリティ画像９６ａの凸部に接するようにセキュリティ画像９６ａに隣接して設けられることにより、セキュリティ画像９６ａの全体形状が認識されないようにしてもよい。換言すれば、カムフラージュ画像は、セキュリティ画像のエッジの少なくとも一部に重なる、または、接する。これにより、セキュリティ画像９６ａの全体形状の意図しない視認（認識）を防止することができる。
【００５１】
カムフラージュ画像が記録されるカムフラージュ領域９４は、必ずしも、有色画像記録領域９２全体を含む必要はない。例えば、有色画像記録領域９２よりも小さいカムフラージュ領域９４が有色画像記録領域９２内に設定されてもよく、必要に応じて、複数のカムフラージュ領域９４が設定されてもよい。また、セキュリティ画像９６が有色画像記録領域９２の外側に記録される場合等、カムフラージュ領域９４は、有色画像記録領域９２と重なっていなくてもよい。
【００５２】
印刷媒体９上には、必ずしも有色画像９５が設けられる必要はなく、印刷媒体９の主面９１上に直接、セキュリティ画像９６およびカムフラージュ画像が設けられてもよい。この場合、画像記録装置１の吐出部３から、吐出機構３１ａ〜３１ｄは省略されてもよい。また、画像記録装置１では、印刷媒体９が、所定の移動方向に吐出部３に対して相対的に移動されるのであれば、例えば、印刷媒体９が固定された状態で、吐出部３が当該移動方向に移動されてもよい。
【００５３】
画像記録装置１の構造は、吐出部３が印刷媒体９の移動方向に垂直な方向に往復移動し、吐出部３の１回の移動毎に印刷媒体９が移動方向に所定距離だけ移動される（いわゆる、シャトル印刷を行う）印刷装置に適用されてもよい。また、画像記録装置１では、例えば、ロール紙等の長尺状の印刷媒体に対して画像記録が行われてもよい。
【００５４】
画像記録装置１の構造は、有版印刷または無版印刷を行う様々な画像記録装置に利用されてよい。例えば、印刷媒体にトナーを付与して画像を記録する電子写真式の画像記録装置に、画像記録装置１の構造が適用されてもよい。この場合、印刷媒体に付与される第１画像記録材料および第２画像記録材料として透明トナーが利用される。
【００５５】
上記実施形態および各変形例における構成は、相互に矛盾しない限り適宜組み合わされてよい。
【符号の説明】
【００５６】
１    画像記録装置
２    移動機構
４    制御部
９    印刷媒体
３１ａ〜３１ｄ    吐出機構
３２    第１透明インク吐出機構
３３    第２透明インク吐出機構
９０    印刷物
９５    有色画像
９６，９６ａ    セキュリティ画像
９７，９７ａ〜９７ｄ    カムフラージュ画像
Ｓ１１〜Ｓ１４    ステップ
【図１】
2013063611.tif 000003
【図２】
2013063611.tif 000004
【図３】
2013063611.tif 000005
【図４】
2013063611.tif 000006
【図５】
2013063611.tif 000007
【図６】
2013063611.tif 000008
【図７】
2013063611.tif 000009
【図８】
2013063611.tif 000010
【図９】
2013063611.tif 000011
【図１０】
2013063611.tif 000012
【図１１】
2013063611.tif 000013
【図１２】
2013063611.tif 000014
【図１３】
2013063611.tif 000015